(57)【要約】【課題】  ホームゲートウェイ装置が収容を意図しない外部端末の登録を防ぎ、内部端末や外部端末の使用が可能なゲートウェイ装置を提供すること。【解決手段】  通信端末を一時的に外部端末として登録および許容し、ゲートウェイ装置に収容される内部端末及び外部端末の発着信管理並びに外部端末の外部ネットワークへの登録要求を行う内線管理部と；通信端末からの登録要求および認証要求を受信する要求受信部と；ゲートウェイ装置に収容される通信端末の情報を管理し、要求受信部で受信した登録要求に基づいて外部端末の外部ネットワークへの登録処理を行う登録管理部と；認証要求を送信した通信端末を外部端末として許容するかどうかの認証処理を行う外部端末認証処理部と；認証処理に用いる通信端末の認証情報が記録されている外部端末認証情報記録部と；を含むことを特徴とする、ゲートウェイ装置が提供される。【選択図】図１
2008301084.tif 000002
【特許請求の範囲】
【請求項１】
ホームネットワークのゲートウェイ装置であって：
自らが登録されているホームネットワークにおいてはホームネットワーク内で通信を行う内部端末として動作し、その他のホームネットワークにおいては外部ネットワークと通信を行う外部端末として動作する通信端末を一時的に外部端末として登録および許容し、前記ゲートウェイ装置に収容される内部端末及び外部端末の発着信管理並びに外部端末の前記外部ネットワークへの登録要求を行う内線管理部と；
前記通信端末からの外部端末としての登録要求および認証要求を受信する要求受信部と；
前記ゲートウェイ装置に収容される内部端末および外部端末の情報を管理し、前記要求受信部で受信した前記登録要求に基づいて外部端末の前記外部ネットワークへの登録処理を行う登録管理部と；
前記要求受信部で受信した前記認証要求を送信した前記通信端末を、前記登録管理部に登録されている外部端末として許容するかどうかの認証処理を行う外部端末認証処理部と；
前記認証処理に用いる前記通信端末の認証情報が記録されている外部端末認証情報記録部と；
を含むことを特徴とする、ゲートウェイ装置。
【請求項２】
前記通信端末の許容判断として、前記外部ネットワークに登録されたが前記ゲートウェイ装置において未許可である第１の状態と、前記外部ネットワークおよび前記ゲートウェイ装置の両方に登録された状態である第２の状態とを有し、
前記外部端末認証処理部は、登録要求を送信した前記通信端末が前記第２の状態である場合に限り前記外部ネットワークとの通信を許可することを特徴とする、請求項１に記載のゲートウェイ装置。
【請求項３】
前記外部端末認証処理部は、前記通信端末からの自番号のプッシュボタン情報と前記外部端末認証情報記録部に記録されているプッシュボタン情報とを比較することで前記通信端末の許容／非許容を判断することを特徴とする、請求項１に記載のゲートウェイ装置。
【請求項４】
前記外部端末認証処理部は、前記通信端末が前記ゲートウェイ装置に収容されていない状態で前記通信端末からのプッシュボタン情報と前記外部端末認証情報記録部に記録されているプッシュボタン情報とを比較することで、前記通信端末の許容／非許容を判断することを特徴とする、請求項１に記載のゲートウェイ装置。
【請求項５】
前記外部端末認証処理部における認証処理の結果、前記通信端末を非許容にすると判断した場合には前記登録管理部から該当する外部端末の登録情報を削除することを特徴とする、請求項１〜４のいずれかに記載のゲートウェイ装置。
【請求項６】
前記通信端末から前記認証要求が所定の時間送信されなかった場合には前記登録管理部は該当する外部端末の登録情報を削除することを特徴とする、請求項１〜５のいずれかに記載のゲートウェイ装置。
【請求項７】
前記内線管理部は、前記通信端末を外部端末として外部ネットワークに登録する前に前記通信端末を外部端末として許容するかどうか判断することを特徴とする、請求項１〜６のいずれかに記載のゲートウェイ装置。
【請求項８】
自らが登録されているホームネットワークにおいてはホームネットワーク内で通信を行う内線端末として動作し、その他のホームネットワークにおいては外部ネットワークと通信を行う外部端末として動作する通信端末を一時的に外部端末として許容する通信端末認証方法であって：
前記通信端末からの外部端末としての登録要求を受信する登録要求受信ステップと；
前記登録要求受信ステップで受信した登録要求に基づいて外部端末の登録処理を行う登録ステップと；
前記登録ステップで登録した前記外部端末に対して外部端末としての認証要求を行う認証要求ステップと；
前記通信端末からの外部端末としての前記認証要求を受信する認証要求受信ステップと；
前記認証要求受信ステップで受信した認証要求を送信した前記通信端末を、前記登録管理ステップで登録されている外部端末として許容するかどうかの認証処理を行う外部端末認証処理ステップと；
前記外部端末認証処理ステップにおける前記認証処理に用いる前記通信端末の認証情報を記録する外部端末認証情報記録ステップと；
を含むことを特徴とする、通信端末認証方法。
【請求項９】
自らが登録されているホームネットワークにおいてはホームネットワーク内で通信を行う内線端末として動作し、その他のホームネットワークにおいては外部ネットワークと通信を行う外部端末として動作する通信端末を一時的に外部端末として許容するためのコンピュータプログラムであって、コンピュータに：
前記通信端末からの外部端末としての登録要求を受信する登録要求受信ステップと；
前記登録要求受信ステップで受信した登録要求に基づいて外部端末の登録処理を行う登録ステップと；
前記登録ステップで登録した前記外部端末に対して外部端末としての認証要求を行う認証要求ステップと；
前記通信端末からの外部端末としての前記認証要求を受信する認証要求受信ステップと；
前記認証要求受信ステップで受信した認証要求を送信した前記通信端末を、前記登録管理ステップで登録されている外部端末として許容するかどうかの認証処理を行う外部端末認証処理ステップと；
前記認証処理に用いる前記通信端末の認証情報を記録する外部端末認証情報記録ステップと；
を含む処理を実行させることを特徴とする、コンピュータプログラム。
【発明の詳細な説明】
【技術分野】
【０００１】
本発明は、ゲートウェイ装置、通信端末認証方法およびコンピュータプログラムに関する。
【背景技術】
【０００２】
家庭内に設置された、複数のインタフェースを有するゲートウェイ装置を基点として、有線ＬＡＮや無線ＬＡＮ等を用いて、電話機やパーソナルコンピュータ、家電等の情報機器が接続されたホームネットワークが広がりを見せている。
【０００３】
このようなホームネットワークのゲートウェイ装置（以下「ホームゲートウェイ装置」とも称する）に接続される端末として、例えばＶｏＩＰ（Ｖｏｉｃｅ  ｏｖｅｒ  Ｉｎｔｅｒｎｅｔ  Ｐｒｏｔｏｃｏｌ）端末がある。ＶｏＩＰ端末の情報はホームゲートウェイ装置に登録され、情報が登録されたＶｏＩＰ端末は、ホームネットワークにおいて内線端末として動作する。このような端末を「内部端末」や「Ｈｏｍｅ端末」とも称する。
【０００４】
このＶｏＩＰ端末が移動可能な携帯端末である場合には、ホームネットワーク内では内部端末として利用し、ホームネットワーク外では外部ネットワークのサーバ等と直接メッセージを交換する携帯端末として利用することができる。この場合において、ＶｏＩＰ端末が外部ネットワークに接続する際に、他のホームネットワークを構成するホームゲートウェイ装置を経由して接続する方法がある。この場合、ＶｏＩＰ端末は内部端末としては管理されず、一時的にホームゲートウェイ装置のリソースを使用する。このような端末を「外部端末」や「Ｖｉｓｉｔｅｄ端末」とも称する。
【０００５】
内部端末は、ホームゲートウェイ装置に内線端末として登録される。基本的に内部端末の動作はホームゲートウェイ装置に終端されて管理される。一方、外部端末は外部ネットワークに直接登録され、ホームゲートウェイ装置は外部端末が外部ネットワークに接続する際に経由されるだけである。基本的に、外部端末の動作は外部ネットワーク上の任意の機器によって直接管理され、ホームゲートウェイ装置による管理は実施されない。
【０００６】
内部端末と外部端末とは、ＶｏＩＰ端末が接続されるホームゲートウェイ装置に、そのＶｏＩＰ端末が使用する外線番号が登録されているかどうかで判断される。ホームゲートウェイ装置は、予め外部ネットワークから内部端末用の外線番号（以下「内部番号」「Ｈｏｍｅ番号」とも称する）を取得し、ホームゲートウェイ装置内に保持している。ホームゲートウェイ装置は、ＶｏＩＰ端末からの登録要求に含まれる外線番号と、ホームゲートウェイ装置で保持している外線番号とを比較し、一致しない場合には登録要求を送信したＶｏＩＰ端末を外部端末と判断し、ＶｏＩＰ端末からの登録要求を外部ネットワークに透過する。このとき、外部ネットワークはＶｏＩＰ端末に対する認証を要求する場合もある。ＶｏＩＰ端末の登録が完了した外部ネットワークはＶｏＩＰ端末に対して応答する。ホームゲートウェイ装置は外部ネットワークからの応答をＶｏＩＰ端末に透過し、ＶｏＩＰ端末は外部ネットワークに登録される。
【０００７】
【非特許文献１】ＮＴＴ東日本  ひかり電話サービス概要（http://www.ntt-east.co.jp/t/service/index.html）
【非特許文献２】ＲＦＣ（Ｒｅｑｕｅｓｔ  ｆｏｒ  Ｃｏｍｍｅｎｔｓ）３２６１
【発明の開示】
【発明が解決しようとする課題】
【０００８】
しかし、従来においては、ホームゲートウェイ装置は端末からの登録要求に含まれる外線番号と、ホームゲートウェイ装置で保持している外線番号とを比較し、一致しない場合には全て、登録要求を送信したＶｏＩＰ端末を外部端末と判断し、端末からの登録要求を外部ネットワークに透過し、外部ネットワークからの登録成功応答によって、ホームゲートウェイ装置は外部端末を許容していた。そのため、ホームゲートウェイ装置に接続できる端末であれば、ホームネットワークが意図しない端末であってもホームゲートウェイ装置は外部端末として許容し、外部ネットワークとの通信のためにリソースを提供しなければならない問題があった。
【０００９】
例えば、ホームゲートウェイ装置が収容できる端末の台数が制限されている場合がある。あるホームネットワークで、例えば５台の内部端末を収容できるホームゲートウェイ装置がある場合に、５台の内部端末全てがホームゲートウェイ装置に接続され、全てのリソースを使用しているとする。ここで、１台の内部端末がホームネットワークを離れ、ホームゲートウェイ装置から１台分のリソースが開放された場合に、ホームゲートウェイ装置が外部端末からの登録要求を受信し、外部端末として登録されてしまうと、開放されたリソースが外部端末に使用されてしまう。すると、内部端末がホームネットワークに戻ってきた場合に、ホームゲートウェイ装置に空きリソースが存在せず、内部端末として機能できなくなってしまう問題があった。
【００１０】
また、ホームゲートウェイ装置が収容できる外部端末の台数が制限されている場合がある。その場合に、ホームゲートウェイ装置が収容を意図していない外部端末によって外部端末用のリソースが使用され、ホームゲートウェイ装置が収容を意図している外部端末が接続を試みた場合に、ホームゲートウェイ装置の外部端末用のリソースを使用することができず、外部端末として使用できない問題もあった。
【００１１】
そこで、本発明は、上記問題に鑑みてなされたものであり、本発明の目的とするところは、ゲートウェイ装置が収容を意図しない外部端末の登録を防ぎ、内部端末や外部端末の使用が可能な、新規かつ改良されたゲートウェイ装置、通信端末認証方法およびコンピュータプログラムを提供することにある。
【課題を解決するための手段】
【００１２】
上記課題を解決するために、本発明のある観点によれば、ホームネットワークのゲートウェイ装置であって：自らが登録されているホームネットワークにおいてはホームネットワーク内で通信を行う内部端末として動作し、その他のホームネットワークにおいては外部ネットワークと通信を行う外部端末として動作する通信端末を、一時的に外部端末として登録および許容し、ゲートウェイ装置に収容される内部端末及び外部端末の発着信管理並びに外部端末の外部ネットワークへの登録要求を行う内線管理部と；通信端末からの外部端末としての登録要求および認証要求を受信する要求受信部と；ゲートウェイ装置に収容される内部端末および外部端末の情報を管理し、要求受信部で受信した登録要求に基づいて外部端末の外部ネットワークへの登録処理を行う登録管理部と；要求受信部で受信した認証要求を送信した通信端末を、登録管理部に登録されている外部端末として許容するかどうかの認証処理を行う外部端末認証処理部と；認証処理に用いる通信端末の認証情報が記録されている外部端末認証情報記録部と；を含むことを特徴とする、ゲートウェイ装置が提供される。
【００１３】
かかる構成によれば、内線管理部は自らが登録されているホームネットワークにおいてはホームネットワーク内で通信を行う内部端末として動作し、その他のホームネットワークにおいては外部ネットワークと通信を行う外部端末として動作する通信端末を、一時的に外部端末として登録および許容し、ゲートウェイ装置に収容される内部端末及び外部端末の発着信管理並びに外部端末の外部ネットワークへの登録要求を行い、要求受信部は通信端末からの外部端末としての登録要求および認証要求を受信し、登録管理部はゲートウェイ装置に収容される内部端末および外部端末の情報を管理し、要求受信部で受信した登録要求に基づいて外部端末の外部ネットワークへの登録処理を行い、外部端末認証処理部は要求受信部で受信した認証要求を送信した通信端末を、登録管理部に登録されている外部端末として許容するかどうかの認証処理を行い、外部端末認証情報記録部は認証処理に用いる通信端末の認証情報が記録されている。その結果、外部端末からの発信前に外部端末から認証処理を要求し、認証に成功した場合に限り外部端末として収容することで、ゲートウェイ装置が収容を意図しない外部端末の登録を防ぎ、内部端末や外部端末の使用が可能となる。
【００１４】
通信端末の許容判断として、外部ネットワークに登録されたがゲートウェイ装置において未許可である第１の状態と、外部ネットワークおよびゲートウェイ装置の両方に登録された状態である第２の状態とを有し、外部端末認証処理部は、登録要求を送信した通信端末が第２の状態である場合に限り外部ネットワークとの通信を許可してもよい。その結果、外部端末が外部ネットワークおよびゲートウェイ装置の両方に登録された状態である場合に限り、外部ネットワークとの通信を許可することができる。
【００１５】
外部端末認証処理部は、通信端末からの自番号のプッシュボタン情報と外部端末認証情報記録部に記録されているプッシュボタン情報とを比較することで、通信端末の許容／非許容を判断してもよい。その結果、通信端末に対してプッシュボタン情報の送信を要求し、通信端末からの自番号のプッシュボタン情報と外部端末認証情報記録部に記録されているプッシュボタン情報が一致した場合に限り、外部端末として許容することができる。
【００１６】
外部端末認証処理部は、通信端末がゲートウェイ装置に収容されていない状態で、通信端末からのプッシュボタン情報と外部端末認証情報記録部に記録されているプッシュボタン情報とを比較することで、通信端末の許容／非許容を判断してもよい。その結果、通信端末がゲートウェイ装置に収容されていない状態であっても、通信端末からの発信要求を受信すると、当該通信端末に対してプッシュボタン情報の送信を要求し、通信端末からの自番号のプッシュボタン情報と外部端末認証情報記録部に記録されているプッシュボタン情報が一致した場合に限り、外部端末として許容することができる。
【００１７】
外部端末認証処理部における認証処理の結果、通信端末を非許容にすると判断した場合には、登録管理部から該当する外部端末の登録情報を削除してもよい。その結果、ゲートウェイ装置が収容を意図しない外部端末の登録情報を開放し、ゲートウェイ装置が収容を意図する端末にのみゲートウェイ装置のリソースを与えることができる。
【００１８】
通信端末から認証要求が所定の時間送信されなかった場合には、登録管理部は該当する外部端末の登録情報を削除してもよい。所定の時間使用されなかった端末の登録情報を開放し、ゲートウェイ装置のリソースを効果的に使用することができる。
【００１９】
内線管理部は、通信端末を外部端末として外部ネットワークに登録する前に通信端末を外部端末として許容するかどうか判断してもよい。その結果、ゲートウェイ装置が意図しない端末にリソースを使用されることを防ぐことができると共に、外部ネットワークが未登録の外部端末への発信要求を拒絶することで余計な処理を行わずに済み、外部ネットワークの負荷を軽減することができる。
【００２０】
また、上記課題を解決するために、本発明の別の観点によれば、自らが登録されているホームネットワークにおいてはホームネットワーク内で通信を行う内線端末として動作し、その他のホームネットワークにおいては外部ネットワークと通信を行う外部端末として動作する通信端末を、一時的に外部端末として許容する通信端末認証方法であって：通信端末からの外部端末としての登録要求を受信する登録要求受信ステップと；登録要求受信ステップで受信した登録要求に基づいて外部端末の登録処理を行う登録ステップと；登録ステップで登録した外部端末に対して外部端末としての認証要求を行う認証要求ステップと；通信端末からの外部端末としての認証要求を受信する認証要求受信ステップと；認証要求受信ステップで受信した認証要求を送信した通信端末を、登録ステップで登録されている外部端末として許容するかどうかの認証処理を行う外部端末認証処理ステップと；外部端末認証処理ステップで用いる通信端末の認証情報を記録する外部端末認証情報記録ステップと；を含むことを特徴とする、通信端末認証方法が提供される。
【００２１】
かかる方法によれば、登録要求受信ステップは通信端末からの外部端末としての登録要求を受信し、登録ステップは登録要求受信ステップで受信した登録要求に基づいて外部端末の登録処理を行い、認証要求ステップは登録した外部端末に対して外部端末としての認証要求を行い、認証要求受信ステップは通信端末からの外部端末としての認証要求を受信し、外部端末認証処理ステップは認証要求受信ステップで受信した認証要求を送信した通信端末を、登録ステップで登録されている外部端末として許容するかどうかの認証処理を行い、外部端末認証情報記録ステップは認証処理に用いる通信端末の認証情報を記録する。その結果、外部端末からの発信前に外部端末から認証処理を要求し、認証に成功した場合に限り外部端末として収容することで、意図しない外部端末の登録を防ぎ、内部端末や外部端末の使用が可能となる。
【００２２】
また、上記課題を解決するために、本発明のさらに別の観点によれば、自らが登録されているホームネットワークにおいてはホームネットワーク内で通信を行う内線端末として動作し、その他のホームネットワークにおいては外部ネットワークと通信を行う外部端末として動作する通信端末を、一時的に外部端末として許容するためのコンピュータプログラムであって、コンピュータに：通信端末からの外部端末としての登録要求を受信する登録要求受信ステップと；登録要求受信ステップで受信した登録要求に基づいて外部端末の登録処理を行う登録ステップと；登録ステップで登録した外部端末に対して外部端末としての認証要求を行う認証要求ステップと；通信端末からの外部端末としての認証要求を受信する認証要求受信ステップと；認証要求受信ステップで受信した認証要求を送信した通信端末を、登録ステップで登録されている外部端末として許容するかどうかの認証処理を行う外部端末認証処理ステップと；認証処理に用いる通信端末の認証情報を記録する外部端末認証情報記録ステップと；を含む処理を実行させることを特徴とする、コンピュータプログラムが提供される。
【００２３】
かかる方法によれば、登録要求受信ステップは通信端末からの外部端末としての登録要求を受信し、登録ステップは登録要求受信ステップで受信した登録要求に基づいて外部端末の登録処理を行い、認証要求ステップは登録した外部端末に対して外部端末としての認証要求を行い、認証要求受信ステップは通信端末からの外部端末としての認証要求を受信し、外部端末認証処理ステップは認証要求受信ステップで受信した認証要求を送信した通信端末を、登録ステップで登録されている外部端末として許容するかどうかの認証処理を行い、外部端末認証情報記録ステップは認証処理に用いる通信端末の認証情報を記録する。その結果、外部端末からの発信前に外部端末から認証処理を要求し、認証に成功した場合に限り外部端末として収容することで、意図しない外部端末の登録を防ぎ、内部端末や外部端末の使用が可能となる。
【発明の効果】
【００２４】
以上説明したように本発明によれば、ホームゲートウェイ装置が収容を意図しない外部端末の登録を防ぎ、内部端末や外部端末の使用が可能な、新規かつ改良されたゲートウェイ装置、通信端末認証方法およびコンピュータプログラムを提供することができる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
まず、従来の外部端末のホームゲートウェイ装置への登録処理、外部端末からの発信処理および外部端末への発信処理について説明する。図１３は、従来のゲートウェイ装置を用いたホームネットワークシステムについて説明する説明図である。以下、図１３を用いて従来のゲートウェイ装置を用いたホームネットワークシステムについて説明する。
【００２７】
図１３に示したように、従来のホームネットワークシステム１は、無線ＶｏＩＰ端末２と、有線ＶｏＩＰ端末３と、ホームゲートウェイ装置１０と、外部ネットワーク２０とを含んで構成され、ホームゲートウェイ装置１０は、ＬＡＮ制御部１１と、内線管理部１２と、登録管理部１３と、外線番号データ記録部１４と、外部端末情報記録部１５と、音声処理部１６と、トーンデータ保持部１７と、ＷＡＮ制御部１８と、を含んで構成される。
【００２８】
ＬＡＮ制御部１１は、ホームゲートウェイ装置１０に収容される端末とのインタフェースを行うものである。内線管理部１２は、ホームゲートウェイ装置１０に収容される内部端末の登録状態や発着信の管理を行う。登録管理部１３は、ホームゲートウェイ装置１０に収容される内部端末及び外部端末の登録情報を管理する。外線番号データ記録部１４は、外部ネットワークから取得した内部番号を記録しておくものである。外部端末情報記録部１５は、ホームゲートウェイ装置１０に収容される外部端末の番号（「外部番号」「Ｖｉｓｉｔｅｄ番号」とも称する）や外部端末の登録状態を記録しておくものである。音声処理部１６は、音声データのエンコードおよびデコードを行うものである。トーンデータ保持部１７は、内部端末や外部端末のトーンデータを保持するものである。ＷＡＮ制御部１８は、ホームゲートウェイ装置１０と外部ネットワーク２０との間のインタフェースを行うものである。
【００２９】
図１４は、従来の外部端末登録方法について説明する流れ図である。従来においては、ＶｏＩＰ端末からホームゲートウェイ装置１０に登録要求が送られると（ステップＳ１１）、ホームゲートウェイ装置１０は登録要求を送信したＶｏＩＰ端末の外線番号とホームゲートウェイ装置１０で保持している内部番号とを比較する（ステップＳ１２）。比較した結果、一致している場合には、当該端末は内部端末であるため、ホームゲートウェイ装置１０は登録要求における当該外線番号を有するＶｏＩＰ端末に対して「登録」状態を設定し（ステップＳ１３）、内部端末の登録状態を管理するために内部端末登録時間タイマを開始する（ステップＳ１４）。内部端末登録時間タイマとは、タイムアウト前に当該ＶｏＩＰ端末から登録更新要求を受信しなかった場合に、タイムアウト時点で当該ＶｏＩＰ端末の登録を無効とする（未登録状態にする）ためのタイマである。登録時間タイマを開始すると、当該ＶｏＩＰ端末に対して登録応答を送出し（ステップＳ１５）、処理を終了する。
【００３０】
なお、上記ステップＳ１３でＶｏＩＰ端末に対して「登録」状態を設定する際には、端末に認証処理を要求してもよく、認証が成功した場合にのみ当該ＶｏＩＰ端末を内部端末としてホームゲートウェイ装置１０に登録してもよい。
【００３１】
一方、上記ステップＳ１２において不一致であった場合には、当該端末は外部端末であるため、ホームゲートウェイ装置１０は送られた登録要求をそのまま外部ネットワーク２０に透過する（ステップＳ１６）。この登録要求は外部ネットワーク２０で処理される。外部ネットワーク２０からの登録応答をホームゲートウェイ装置１０で受信すると（ステップＳ１７）、ホームゲートウェイ装置１０は登録応答が成功応答かどうか確認する（ステップＳ１８）。
【００３２】
上記ステップＳ１８において、外部ネットワーク２０から成功応答を受信した場合には、ホームゲートウェイ装置１０は当該ＶｏＩＰ端末の外線番号を外部番号として保持し（ステップＳ１９）、当該外線番号を有するＶｏＩＰ端末に対して「登録」状態を設定して（ステップＳ２０）、外部端末の登録状態を管理するために外部端末登録時間タイマを開始する（ステップＳ２１）。外部端末登録時間タイマとは、内部端末登録時間タイマと同様に、タイムアウト前に当該ＶｏＩＰ端末から登録更新要求を受信しなかった場合に、タイムアウト時点で当該ＶｏＩＰ端末の登録を無効とする（未登録状態にする）ためのタイマである。なお、外部端末登録時間タイマは起動しなくてもよい。そして、ホームゲートウェイ装置１０は当該ＶｏＩＰ端末に登録応答を透過する（ステップＳ２２）。
【００３３】
一方、ステップＳ１８において、失敗応答を受信した場合には、ホームゲートウェイ装置１０は当該ＶｏＩＰ端末に失敗応答をそのまま透過する（ステップＳ２２）。
【００３４】
なお、外部ネットワーク２０は、ＶｏＩＰ端末の登録を行う際には、端末に認証処理を要求してもよい。
【００３５】
図１５は、従来の外部端末の登録処理について説明するシーケンス図である。ここでは無線通信を行うＶｏＩＰ端末２を例に挙げて説明するが、有線通信を行うＶｏＩＰ端末３の場合でも同じ流れである。まずＶｏＩＰ端末２から登録要求をＬＡＮ制御部１１に向けて送信する（ステップＳ３１）。登録要求を受信したＬＡＮ制御部１１は内線管理部１２に向けて当該登録要求を通知する（ステップＳ３２）。登録要求の通知を受けた内線管理部１２は、登録管理部１３に対して要求元の確認を行う（ステップＳ３３）。要求元の確認を受けた登録管理部１３は、登録要求を送信したＶｏＩＰ端末２の外線番号と、外線番号データ記録部１４に記録されている番号との比較を行う（ステップＳ３４）。ステップＳ３４において番号が不一致であると判断された場合には、登録管理部１３は、登録要求を送信したＶｏＩＰ端末２は外部端末であると判断し、内線管理部１２に対してＶｏＩＰ端末２は外部端末である旨の通知を行う（ステップＳ３５）。
【００３６】
要求元のＶｏＩＰ端末２が外部端末であることを知った内線管理部１２は、ＷＡＮ制御部１８に対してＶｏＩＰ端末２からの登録要求を通知し（ステップＳ３６）、通知を受けたＷＡＮ制御部１８は外部ネットワーク２０に対してＶｏＩＰ端末２からの登録要求を透過する（ステップＳ３７）。
【００３７】
外部ネットワーク２０は、ＷＡＮ制御部１８からの登録要求に対する成功応答をＷＡＮ制御部１８に返す（ステップＳ３８）。外部ネットワーク２０においてＶｏＩＰ端末２の登録処理を行う際に、ＶｏＩＰ端末２に対して認証処理を要求してもよく、認証処理は外部ネットワーク２０の仕様に依存する。
【００３８】
外部ネットワーク２０からの成功応答を受け取ったＷＡＮ制御部１８は、内線管理部１２に成功応答を通知する（ステップＳ３９）。成功応答を受信した内線管理部１２は、登録管理部１３に対して、ＶｏＩＰ端末２を外部端末として登録するよう外部端末登録通知を行う（ステップＳ４０）。外部端末登録通知を受けた登録管理部１３は、外線番号データ記録部１４に、ＶｏＩＰ端末２の外線番号を外部番号として登録し、ＶｏＩＰ端末２を「登録」状態として設定する（ステップＳ４１）。登録および設定が完了すると、登録管理部１３は内線管理部１２に対して外部端末登録応答を返す（ステップＳ４２）。応答を受け取った内線管理部１２は、ＬＡＮ制御部１１に登録応答を通知する（ステップＳ４３）。通知を受けたＬＡＮ制御部１１は、ＶｏＩＰ端末２に登録応答を通知する（ステップＳ４４）。
【００３９】
なお、内線管理部１２は、上記ステップＳ４２で外部端末登録応答を受け取ると、外部端末登録時間タイマを開始してもよい（ステップＳ４５）。
【００４０】
図１６は、従来の外部端末からの発信方法について説明する流れ図である。外部端末として登録されたＶｏＩＰ端末２からの発信要求をＬＡＮ制御部１１が受信する（ステップＳ５１）と、ＬＡＮ制御部１１は内線管理部１２に発信要求を通知する（ステップＳ５２）。発信要求の通知を受けた内線管理部１２は、登録管理部１３に対して発信要求の要求元を確認する（ステップＳ５３）。要求元の確認を受けた登録管理部１３は、要求元の外線番号と、外部端末情報記録部１５に記録された外部番号とを比較する（ステップＳ５４）。比較した結果、登録管理部１３は、両者が一致する場合に要求元が外部端末であると判断し、内線管理部１２に対して、要求元確認応答として要求元が外部端末である旨の通知を行う（ステップＳ５５）。
【００４１】
要求元が外部端末であることを知った内線管理部１２は、ＷＡＮ制御部１８に対して発信要求を通知する（ステップＳ５６）。発信要求を受けたＷＡＮ制御部１８は、外部ネットワーク２０に向けて発信要求を送出する（ステップＳ５７）。ＷＡＮ制御部１８は、外部ネットワーク２０からの発信応答を受信する（ステップＳ５８）と、内線管理部１２に対して外部ネットワークからの発信応答を通知する（ステップＳ５９）。通知を受けた内線管理部１２はＬＡＮ制御部１１に発信応答を通知し（ステップＳ６０）、通知を受けたＬＡＮ制御部１１はＶｏＩＰ端末２に向けて発信応答を送出する（ステップＳ６１）。
【００４２】
なお、外部ネットワーク２０でＶｏＩＰ端末２からの発信応答を処理する際に、外部ネットワーク２０はＶｏＩＰ端末２に対して認証処理を要求してもよく、この場合には外部ネットワーク２０の仕様に依存する。
【００４３】
図１７は、従来の外部端末への着信方法について説明する流れ図である。まず、外部ネットワーク２０からの着信要求をＷＡＮ制御部１８が受信する（ステップＳ６２）。着信要求を受信したＷＡＮ制御部１８は、登録管理部１３に対して着信先の確認を行う（ステップＳ６３）。
【００４４】
登録管理部１３は、着信先として設定された外線番号と、外線番号データ記録部１４に記録された内部番号および外部端末情報記録部１５に記録された外部番号とを比較する（ステップＳ６４）。比較の結果、外部番号と一致していた場合には、登録管理部１３はＷＡＮ制御部１８に対して、着信先が登録されてあり、着信先は外部端末である旨の着信先確認応答を通知する（ステップＳ６５）。
【００４５】
着信先確認応答を受信したＷＡＮ制御部１８は、内線管理部１２に対して着信を通知する（ステップＳ６６）。着信の通知を受けた内線管理部１２はＬＡＮ制御部１１に着信を通知し（ステップＳ６７）、通知を受けたＬＡＮ制御部１１は、当該外部端末であるＶｏＩＰ端末２に対して着信要求を送出する（ステップＳ６８）。
【００４６】
着信要求を受信したＶｏＩＰ端末２は、着信に対する応答をホームゲートウェイ装置１０に向けて送出し、ＬＡＮ制御部１１がその着信応答を受信する（ステップＳ６９）。ＬＡＮ制御部１１が受信した着信応答は内線管理部１２に通知され（ステップＳ７０）、内線管理部１２からＷＡＮ制御部に着信応答が通知される（ステップＳ７１）。そして、ＷＡＮ制御部１８は、受信した着信応答を外部ネットワーク２０に送出し（ステップＳ７２）、ＶｏＩＰ端末２と外部ネットワークとの間で通信が行われる。
【００４７】
図１８は、従来の外部端末からの発信方法について説明するシーケンス図であり、ホームゲートウェイ装置１０に外部端末の情報が登録されていない場合の発信方法について説明するものである。外部端末として登録されていないＶｏＩＰ端末２からの発信要求をＬＡＮ制御部１１が受信する（ステップＳ８１）と、ＬＡＮ制御部１１は内線管理部１２に発信要求を通知する（ステップＳ８２）。発信要求の通知を受けた内線管理部１２は、登録管理部１３に対して発信要求の要求元を確認する（ステップＳ８３）。要求元の確認を受けた登録管理部１３は、要求元の外線番号と、外部端末情報記録部１５に記録された外部番号とを比較する（ステップＳ８４）。比較した結果、ＶｏＩＰ端末２は外部端末として登録されていないので、登録管理部１３は、要求元が未登録の端末であるため、内線管理部１２に対して、要求元確認応答として要求元が未登録端末である旨の通知を行う（ステップＳ８５）。
【００４８】
要求元確認応答の通知を受けた内線管理部１２は、ＬＡＮ管理部１１に発信要求に対する応答を通知する。この際の通知内容は通信を拒絶する内容である（ステップＳ８６）。そして、通知を受けたＬＡＮ制御部１１は、ＶｏＩＰ端末２に対して通信を拒絶する内容の応答を通知する（ステップＳ８７）。
【００４９】
図１９は、従来の外部端末への着信方法について説明するシーケンス図であり、ホームゲートウェイ装置１０に外部端末の情報が登録されていない場合の発信方法について説明するものである。まず、外部ネットワーク２０からの着信要求をＷＡＮ制御部１８が受信する（ステップＳ９１）。着信要求を受信したＷＡＮ制御部１８は、登録管理部１３に対して着信先の確認を行う（ステップＳ９２）。
【００５０】
登録管理部１３は、着信先として設定された外線番号と、外線番号データ記録部１４に記録された内部番号および外部端末情報記録部１５に記録された外部番号とを比較する（ステップＳ９３）。比較の結果、ＶｏＩＰ端末２は外部端末として登録されていないので、登録管理部１３はＷＡＮ制御部１８に対して、着信先が未登録である旨の着信先確認応答を通知する（ステップＳ９４）。そして、着信先が未登録である旨の着信先確認応答を受信したＷＡＮ制御部１８は、外部ネットワーク２０に対して着信を拒否する内容の着信応答を通知する（ステップＳ９５）。
【００５１】
以上、従来の外部端末のホームゲートウェイ装置への登録処理、外部端末からの発信処理および外部端末への発信処理について説明した。
【００５２】
しかし、従来においては、図１５で説明した登録処理シーケンスにおいて、ホームゲートウェイ装置に接続できる端末であれば、ホームネットワークが意図しない端末であってもホームゲートウェイ装置は外部端末として許容し、外部ネットワークとの通信のためにリソースを提供しなければならない問題があった。
【００５３】
そのため、ホームゲートウェイ装置が収容を意図しない外部端末の登録を防ぎ、収容を意図する外部端末のみを登録することで内部端末や外部端末を常に使用できるようにする必要がある。以下、本発明によるゲートウェイ装置および通信端末認証方法について詳細に説明する。
【００５４】
（第１の実施形態）
まず、本発明の第１の実施形態にかかるゲートウェイ装置および通信端末認証方法について説明する。
【００５５】
図１は、本発明の第１の実施形態にかかるホームゲートウェイ装置１１０を用いたホームネットワーク１００の構成について説明する説明図である。以下、図１を用いて本発明の第１の実施形態にかかるゲートウェイ装置を用いたホームネットワークの構成について説明する。
【００５６】
図１に示したように、本発明の第１の実施形態にかかるホームネットワーク１００は、無線ＶｏＩＰ端末１０１と、有線ＶｏＩＰ端末１０２と、ホームゲートウェイ装置１１０と、外部ネットワーク２００とを含んで構成される。
【００５７】
ホームゲートウェイ装置１１０は、本発明のゲートウェイ装置の一例であり、ＬＡＮ制御部１１２と、内線管理部１１４と、登録管理部１１６と、外線番号データ記録部１１８と、外部端末情報記録部１２０と、音声処理部１２２と、トーンデータ保持部１２４と、ＷＡＮ制御部１２６と、外部端末認証処理部１２８と、外部端末認証情報記録部１３０と、を含んで構成される。
【００５８】
無線ＶｏＩＰ端末１０１および有線ＶｏＩＰ端末１０２は、いずれも本発明の通信端末の一例であり、インターネットプロトコルを用いて音声データの送受信を行う端末である。無線ＶｏＩＰ端末１０１および有線ＶｏＩＰ端末１０２は、音声データの送受信を無線で行うか有線で行うかの違いだけであり、その他の機能に特別な差異は存在しない。
【００５９】
以下の説明では、特に断りが無い限り、無線ＶｏＩＰ端末１０１を外部端末としてホームゲートウェイ装置１１０に収容する場合について説明する。
【００６０】
ＬＡＮ制御部１１２は、本発明の要求受信部の一例であり、ホームゲートウェイ装置１１０に収容される端末とのインタフェースを行うものである。本実施形態においては、ＬＡＮ制御部１１２は、有線および無線ＬＡＮのインタフェースを有しており、無線ＶｏＩＰ端末１０１および有線ＶｏＩＰ端末１０２との間のインタフェースを行う。なお、本発明においては、要求受信部は有線のみまたは無線のみのインタフェースを有していてもよい。
【００６１】
内線管理部１１４は、ホームゲートウェイ装置１１０に収容される内部端末の登録状態や発着信の管理を行う。登録管理部１１６は、ホームゲートウェイ装置１１０に収容される内部端末及び外部端末の登録情報を管理する。外線番号データ記録部１１８は、外部ネットワークから取得した内部番号を記録しておくものである。外部端末情報記録部１２０は、ホームゲートウェイ装置１１０に収容される外部番号（外部端末が有している内線番号）や外部端末の登録状態を記録しておくものである。
【００６２】
音声処理部１２２は、音声データのエンコードおよびデコードを行うものである。トーンデータ保持部１２４は、内部端末や外部端末のトーンデータを保持するものである。ＷＡＮ制御部１２６は、ホームゲートウェイ装置１１０と外部ネットワーク２００との間のインタフェースを行うものである。
【００６３】
外部端末認証処理部１２８は、外部端末をホームゲートウェイ装置１１０で許容するための認証処理を実施するものである。外部端末認証情報記録部１３０は、外部端末認証処理部１２８で外部端末の認証処理を行う際に、認証処理で使用する認証用のデータが記録されているものである。外部端末認証処理部１２８での認証処理については後述する。
【００６４】
外部ネットワーク２００は、ホームゲートウェイ装置１１０によって構成されるホームネットワーク以外の外部のネットワークを指し、外部ネットワーク上には、例えば、他のホームゲートウェイ装置によってホームネットワークが複数構成されている。
【００６５】
以上、図１を用いて本発明の第１の実施形態にかかるゲートウェイ装置を用いたホームネットワークについて説明した。次に、本発明の第１の実施形態にかかるゲートウェイ装置を用いた外部端末の登録方法について説明する。
【００６６】
図２Ａおよび図２Ｂは、本発明の第１の実施形態にかかる外部端末登録方法について説明する流れ図である。以下、図２Ａおよび図２Ｂを用いて本発明の第１の実施形態にかかる外部端末登録方法について説明する。
【００６７】
まず、無線ＶｏＩＰ端末１０１からホームゲートウェイ装置１１０に対して登録要求が発信される。無線ＶｏＩＰ端末１０１からの登録要求をホームゲートウェイ装置１１０が受信すると（ステップＳ１０１）、ホームゲートウェイ装置１１０は登録要求に含まれる番号が内部番号かどうかを判断するため、登録要求を送信した無線ＶｏＩＰ端末１０１の外線番号とホームゲートウェイ装置１１０で保持している内部番号とを比較する（ステップＳ１０２）。
【００６８】
比較した結果、一致している場合には、登録要求を送信した無線ＶｏＩＰ端末１０１は内部端末であるため、ホームゲートウェイ装置１１０は登録要求における当該外線番号を有する無線ＶｏＩＰ端末１０１に対して「登録」状態を設定し（ステップＳ１０３）、内部端末の登録状態を管理するために内部端末登録時間タイマを開始する（ステップＳ１０４）。内部端末登録時間タイマとは、タイムアウト前に当該ＶｏＩＰ端末から登録更新要求を受信しなかった場合に、タイムアウト時点で当該無線ＶｏＩＰ端末の登録を無効とする（未登録状態にする）ためのタイマである。登録時間タイマを開始すると、無線ＶｏＩＰ端末１０１に対して登録応答を送出し（ステップＳ１０５）、処理を終了する。
【００６９】
なお、上記ステップＳ１０３で、無線ＶｏＩＰ端末１０１に対して「登録」状態を設定する際には、当該ＶｏＩＰ端末に認証処理を要求してもよく、認証が成功した場合にのみ当該ＶｏＩＰ端末を内部端末としてホームゲートウェイ装置１１０に登録してもよい。
【００７０】
一方、上記ステップＳ１０２において不一致であった場合には、登録要求を送信した無線ＶｏＩＰ端末１０１は外部端末であるため、ホームゲートウェイ装置１１０は送られた登録要求をそのまま外部ネットワーク２００に透過する（ステップＳ１０６）。この登録要求は外部ネットワーク２００で処理される。外部ネットワーク２００からの登録応答をホームゲートウェイ装置１１０で受信すると（ステップＳ１０７）、ホームゲートウェイ装置１１０は登録応答が成功応答かどうか確認する（ステップＳ１０８）。
【００７１】
上記ステップＳ１０８において、外部ネットワーク２００から成功応答を受信した場合には、ホームゲートウェイ装置１１０は無線ＶｏＩＰ端末１０１の外線番号を外部番号として保持し（ステップＳ１０９）、当該外線番号を有する無線ＶｏＩＰ端末１０１に対して「未許可」状態を設定する（ステップＳ１１０）。そして、外部端末の登録状態を管理するために外部端末認証待ちタイマを開始する（ステップＳ１１１）。外部端末認証待ちタイマとは、タイムアウト前に当該ＶｏＩＰ端末から認証要求を受信しなかった場合に、タイムアウト時点で当該ＶｏＩＰ端末の登録を無効とする（未登録状態にする）ためのタイマである。なお本発明においては、外部端末認証待ちタイマは起動しなくてもよい。
【００７２】
そして、ホームゲートウェイ装置１１０は無線ＶｏＩＰ端末１０１に登録応答を透過する（ステップＳ１１２）。
【００７３】
一方、ステップＳ１０８において、外部ネットワーク２００から失敗応答を受信した場合には、ホームゲートウェイ装置１１０は無線ＶｏＩＰ端末１０１に失敗応答をそのまま透過する（ステップＳ１１２）。
【００７４】
なお、外部ネットワーク２００は、ＶｏＩＰ端末の登録を行う際には、当該ＶｏＩＰ端末に認証処理を要求してもよい。認証処理を要求するかどうかは、外部ネットワーク２００の使用に依存する。
【００７５】
続いて、無線ＶｏＩＰ端末１０１からの発信要求をホームゲートウェイ装置１１０が受信すると（ステップＳ１１３）、ホームゲートウェイ装置１１０は発信要求を送信したのが外部端末かどうかを判断するために、発信要求に設定された番号が、ホームゲートウェイ装置１１０が保持する外部番号であるかどうかを判断する（ステップＳ１１４）。
【００７６】
上記ステップＳ１１４での判断の結果、発信要求を送信したのが外部端末であれば、ホームゲートウェイ装置１１０は発信要求を送信した無線ＶｏＩＰ端末１０１のホームゲートウェイ装置１１０における登録状態を確認する（ステップＳ１１５）。確認の結果、無線ＶｏＩＰ端末１０１が「登録」状態にある場合には、ホームゲートウェイ装置１１０は無線ＶｏＩＰ端末１０１からの発信要求をそのまま外部ネットワークに透過する（ステップＳ１１６）。
【００７７】
一方、ステップＳ１１５での確認の結果、無線ＶｏＩＰ端末１０１の外部端末としての状態が「未許可」状態にある場合には、まだホームゲートウェイ装置１１０において当該発信要求を送信した無線ＶｏＩＰ端末１０１を許容していないため、ホームゲートウェイ装置１１０は発信要求が当該外部番号自身への発信かどうかを判断する（ステップＳ１１７）。
【００７８】
ステップＳ１１７での判断の結果、当該外部番号自身への発信で無い場合には、発信要求を送信した外部端末へ切断を送出する（ステップＳ１２２）。一方、ステップＳ１１７での判断の結果、当該外部番号自身への発信である場合には、ホームゲートウェイ装置１１０は無線ＶｏＩＰ端末１０１に対する外部端末認証処理を実施する（ステップＳ１１８）。ホームゲートウェイ装置１１０が行う外部端末認証処理の詳細については後述する。
【００７９】
ホームゲートウェイ装置１１０は、無線ＶｏＩＰ端末１０１に対する外部端末認証処理が成功したかどうかを判断し（ステップＳ１１９）、認証に成功した場合には、無線ＶｏＩＰ端末１０１の状態を「登録」に設定する（ステップＳ１２１）。一方、認証に失敗した場合には無線ＶｏＩＰ端末１０１の外部端末情報を削除する（ステップＳ１２０）。そして、認証が成功した場合であっても失敗した場合であっても、ホームゲートウェイ装置１１０から無線ＶｏＩＰ端末１０１に切断を送出する（ステップＳ１２２）。
【００８０】
また、上記ステップＳ１１４での判断の結果、発信要求を送信したのが内部端末であれば、ホームゲートウェイ装置１１０は内線発信処理を行う（ステップＳ１２３）。
【００８１】
以上、図２Ａおよび図２Ｂを用いて本発明の第１の実施形態にかかる外部端末登録方法について説明した、次に、本発明の第１の実施形態にかかる外部端末認証処理について説明する。
【００８２】
図３は、本発明の第１の実施形態にかかる外部端末認証処理について説明する流れ図であり、図３は、図２Ｂの外部端末認証処理（ステップＳ１１８）を詳細に説明するものである。以下、図３を用いて本発明の第１の実施形態にかかる外部端末認証処理について説明する。
【００８３】
まず、ホームゲートウェイ装置１１０から無線ＶｏＩＰ端末１０１に向けて発信応答を送出する（ステップＳ１３１）。そして、ホームゲートウェイ装置１１０から無線ＶｏＩＰ端末１０１に向けて特定のトーンを送出し、認証用のデータの入力を促す（ステップＳ１３２）。認証用のデータの入力を促された無線ＶｏＩＰ端末１０１は、ホームゲートウェイ装置１１０に向けて認証用のＰＢ信号（プッシュボタン信号）を入力する（ステップＳ１３３）。
【００８４】
ホームゲートウェイ装置１１０は、入力されたＰＢ信号と、ホームゲートウェイ装置１１０の内部で保持している認証用データとの比較を行う（ステップＳ１３４）。比較した結果、両者が一致している場合には、外部端末認証待ちタイマを停止して（ステップＳ１３５）、認証処理を終了する。なお、外部端末認証待ちタイマを上記ステップＳ１１１で起動していなかった場合には、ステップＳ１３５で外部端末認証待ちタイマを停止する必要はない。
【００８５】
一方、上記ステップＳ１３４において両者が一致していなかった場合には、そのまま認証処理を終了する。このように、外部端末認証待ちタイマを停止させずに認証処理を終了することで、外部端末認証待ちタイマがタイムアウトになったときに、タイムアウト時点で無線ＶｏＩＰ端末１０１の登録を無効にして、ホームゲートウェイ装置１１０から無線ＶｏＩＰ端末１０１の外部端末としての登録情報を削除して、ホームゲートウェイ装置１１０のリソースを開放することができる。
【００８６】
以上、図３を用いて本発明の第１の実施形態にかかる外部端末認証処理について説明した。
【００８７】
このように、外部端末である無線ＶｏＩＰ端末１０１からの発信要求をホームゲートウェイ装置１１０で受信して、当該外部端末からの発信がまだ許可されていなかった場合には、外部端末の認証処理を行うことで、予期しない外部端末の収容を防止することができ、内部端末及び予期している外部端末のみをホームゲートウェイ装置に収容することができる。また、このように予期しない外部端末の収容を防止することで、ホームゲートウェイ装置のリソースを有効に活用することが可能となる。
【００８８】
以下において、本発明の第１の実施形態にかかる外部端末の登録処理について、より詳細に説明する。
【００８９】
図４Ａ、図４Ｂおよび図４Ｃは、本発明の第１の実施形態にかかる外部端末の登録処理について説明する流れ図である。以下、図４Ａ、図４Ｂおよび図４Ｃを用いて本発明の第１の実施形態にかかる外部端末の登録処理について説明する。
【００９０】
外部端末としてホームゲートウェイ装置１１０に登録を希望する無線ＶｏＩＰ端末１０１からの登録要求を、ＬＡＮ制御部１１２が受信する（ステップＳ１４１）。ＬＡＮ制御部１１２は、無線ＶｏＩＰ端末１０１からの登録要求を内線管理部１１４に通知する（ステップＳ１４２）。登録要求の通知を受けた内線管理部１１４は、登録管理部１１６に対して登録要求の要求元の確認を通知する（ステップＳ１４３）。
【００９１】
登録管理部１１６は、要求元の確認で設定された無線ＶｏＩＰ端末１０１の外線番号と、外線番号データ記録部１１８に記録されている内部番号のデータとを比較する（ステップＳ１４４）。無線ＶｏＩＰ端末１０１は内部端末では無いので、外線番号データ記録部１１８に無線ＶｏＩＰ端末１０１の外線番号は記録されていない。従って、登録管理部１１６は要求元が外部端末であると判断し、内線管理部１１４に対して要求元確認応答を通知する。この際、応答には要求元が外部端末である旨の内容を含めて通知する（ステップＳ１４５）。
【００９２】
要求元が外部端末である旨の通知を受けた内線管理部１１４は、ＷＡＮ制御部１２６に対して無線ＶｏＩＰ端末１０１からの登録要求を通知する（ステップＳ１４６）。通知を受けたＷＡＮ制御部１２６は、外部ネットワーク２００に向けて登録要求を送出する（ステップＳ１４７）。外部ネットワーク２００では、無線ＶｏＩＰ端末１０１からの登録要求に対して認証処理を行ってもよい（ステップＳ１４８）。認証を行うかどうかは、外部ネットワーク２００の仕様に依存する。
【００９３】
無線ＶｏＩＰ端末１０１を登録した外部ネットワーク２００は、ＷＡＮ制御部１２６に対して登録応答（成功）を送信する（ステップＳ１４９）。登録応答を受信したＷＡＮ制御部１２６は、内線管理部１１４に登録応答を通知する（ステップＳ１５０）。通知を受けた内線管理部１１４は、登録管理部１１６に外部端末登録を通知する（ステップＳ１５１）。外部端末登録通知を受信した登録管理部１１６は、外部端末情報記録部１２０に無線ＶｏＩＰ端末１０１の外線番号を外部番号として登録し、さらに無線ＶｏＩＰ端末１０１の状態を「未許可」として登録する（ステップＳ１５２）。
【００９４】
外部端末情報記録部１２０への登録が完了すると、登録管理部１１６は内線管理部１１４に外部端末登録応答を送信する（ステップＳ１５３）。応答を受信した内線管理部１１４は、外部端末認証処理部１２８に対して外部端末認証待ち開始を通知する（ステップＳ１５４）。通知を受けた外部端末認証処理部１２８は外部端末認証待ちタイマを開始する（ステップＳ１５５）。
【００９５】
その後、内線管理部１１４はＬＡＮ制御部１１２に登録応答を通知し（ステップＳ１５６）、通知を受信したＬＡＮ制御部１１２は、無線ＶｏＩＰ端末１０１に対して登録応答を送出する（ステップＳ１５７）。
【００９６】
登録応答を受信した無線ＶｏＩＰ端末１０１は、ホームゲートウェイ装置１１０に対して発信要求を送信する。その際の発信要求は自番号での発信要求である（ステップＳ１５８）。無線ＶｏＩＰ端末１０１からの発信要求を受信したＬＡＮ制御部１１２は、内線管理部１１４に向けて発信要求を通知する（ステップＳ１５９）。
【００９７】
発信要求の通知を受けた内線管理部１１４は、登録管理部１１６に対して発信要求の要求元の確認を要求する（ステップＳ１６０）。登録管理部１１６は、要求元確認に設定された外線番号と、外線番号データ記録部１１８に記録されている内部番号および外部端末情報記録部１２０に記録されている外部番号との比較を行う（ステップＳ１６１）。比較の結果、要求元確認に設定された外線番号と外部端末情報記録部１２０に記録されている外部番号とが一致した場合には、登録管理部１１６は要求元が外部端末であると判断し、内線管理部１１４に対して要求元が外部端末である旨の応答を通知する。また、この外部端末は上記ステップＳ１５２において「未許可」状態として設定されているため、要求元が未許可の外部端末である旨を併せて通知する（ステップＳ１６２）。
【００９８】
通知を受けた内線管理部１１４は、ＬＡＮ制御部１１２に対して発信応答（成功）を通知する（ステップＳ１６３）。そして、ＬＡＮ制御部１１２は無線ＶｏＩＰ端末１０１に対して発信応答を送出する（ステップＳ１６４）。この時点で、無線ＶｏＩＰ端末１０１とホームゲートウェイ装置１１０との間の通信が成立することになる。
【００９９】
続いて、ホームゲートウェイ装置１１０は無線ＶｏＩＰ端末１０１を外部端末として許容するために、外部端末認証処理を行う。内線管理部１１４は、音声処理部１２２に対してトーン送出を指示する（ステップＳ１６５）。トーン送出の指示を受けた音声処理部１２２は、ＬＡＮ制御部１１２に対してトーンデータの送出を要求する（ステップＳ１６６）。送出するトーンデータは、トーンデータ保持部１２４に保持されているトーンデータであり、外部端末として認証するための特定のトーンである。トーンデータの送出要求を受けたＬＡＮ制御部１１２は、無線ＶｏＩＰ端末１０１に対してトーンデータを送出する（ステップＳ１６７）。
【０１００】
ＬＡＮ制御部１１２からトーンデータを受信した無線ＶｏＩＰ端末１０１は、認証用のＰＢデータ（音声データ）を送出し、送出したＰＢデータはＬＡＮ制御部１１２が受信する（ステップＳ１６８）。ＰＢデータを受信したＬＡＮ制御部１１２は、音声処理部１２２に受信したＰＢデータを送信する（ステップＳ１６９）。音声処理部１２２は、受信したＰＢデータを検出し、内線管理部１１４にＰＢデータの受信を通知する（ステップＳ１７０）。
【０１０１】
ＰＢデータの受信通知を受けた内線管理部１１４は、外部端末認証処理部１２８に対して外部端末認証要求を通知する（ステップＳ１７１）。認証要求を受けた外部端末認証処理部１２８は、受信したＰＢデータと外部端末認証情報記録部１３０に記録されている認証用データとを比較する（ステップＳ１７２）。そして両者が一致していた場合には、外部端末認証要求応答（成功）を内線管理部１１４に通知する（ステップＳ１７３）。この際、ステップＳ１５５で開始した外部端末認証待ちタイマを停止する。
【０１０２】
外部端末認証要求応答の通知を受けた内線管理部１１４は、登録管理部１１６に外部端末登録通知を送信する（ステップＳ１７４）。通知を受信した登録管理部１１６は、外部端末情報記録部１２０に記録されている当該ＶｏＩＰ端末の状態を「登録」状態に設定し（ステップＳ１７５）、内線管理部１１４に対して外部端末登録を応答する（ステップＳ１７６）。応答を受けた内線管理部１１４は、ＬＡＮ制御部１１２に切断要求を通知し（ステップＳ１７７）、ＬＡＮ制御部１１２は無線ＶｏＩＰ端末１０１に対して切断を送出する（ステップＳ１７８）。
【０１０３】
なお、上記ステップＳ１６５〜Ｓ１６７は省略してもよい。また、本発明においてはステップＳ１６８において無線ＶｏＩＰ端末１０１が送出するＰＢデータは、音声データに限られない。例えば、ＲＦＣ２８３３のＲＴＰ（Ｒｅａｌ−ｔｉｍｅ  Ｔｒａｎｓｐｏｒｔ  Ｐｒｏｔｏｃｏｌ）パケットによるＤＴＭＦ（Ｄｕａｌ−Ｔｏｎｅ  ＭｕｌｔｉＦｒｅｑｕｅｎｃｙ）データを送信してもよい。その場合には、ＬＡＮ制御部１１２がＰＢデータを抽出し、内線管理部１１４にＰＢデータを通知する。
【０１０４】
以上、図４Ａ、図４Ｂおよび図４Ｃを用いて、本発明の第１の実施形態にかかる外部端末の登録処理について説明した。次に、本発明の第１の実施形態にかかる外部端末の認証失敗時の処理について説明する。
【０１０５】
図５は、本発明の第１の実施形態にかかる外部端末の認証失敗時の処理について説明する流れ図である。以下、図５を用いて外部端末の認証失敗時の処理について説明する。
【０１０６】
図５に示した流れの内、ステップＳ１７０までは図４Ｃに示した処理と同一であるため、詳細な説明は割愛する。ＰＢデータの受信通知を受けた内線管理部１１４は、外部端末認証処理部１２８に対して外部端末認証要求を通知する（ステップＳ１７１）。認証要求を受けた外部端末認証処理部１２８は、受信したＰＢデータと外部端末認証情報記録部１３０に記録されている認証用データとを比較する（ステップＳ１８１）。そして両者が不一致の場合には、外部端末認証要求応答（失敗）を内線管理部１１４に通知する（ステップＳ１８２）。この際、上記ステップＳ１５５で開始した外部端末認証待ちタイマを停止する。
【０１０７】
外部端末認証要求応答（失敗）の通知を受けた内線管理部１１４は、登録管理部１１６に対して外部端末登録の削除通知を送信する（ステップＳ１８３）。通知を受けた登録管理部は、外部端末情報記録部１２０に記録されている当該ＶｏＩＰ端末の情報を削除し（ステップＳ１８４）、内線管理部１１４に削除応答を送信する（ステップＳ１８５）。応答を受けた内線管理部１１４は、ＬＡＮ制御部１１２に切断要求を通知し（ステップＳ１８６）、ＬＡＮ制御部１１２は無線ＶｏＩＰ端末１０１に対して切断を送出する（ステップＳ１８７）。
【０１０８】
このように、無線ＶｏＩＰ端末１０１からの認証処理に失敗した場合には、登録管理部１１６が外部端末情報記録部１２０から当該無線ＶｏＩＰ端末１０１の情報を削除することで、ホームゲートウェイ装置１１０の内部のリソースを有効に活用することができる。
【０１０９】
以上、図５を用いて本発明の第１の実施形態にかかる外部端末の認証失敗時の処理について説明した。なお、上記ステップＳ１８２において、外部端末認証待ちタイマを停止しているが、外部端末認証待ちタイマは停止しなくてもよい。その場合の外部端末の認証失敗時の処理について説明する。
【０１１０】
図６は、本発明の第１の実施形態にかかる外部端末の認証失敗時の処理について説明する流れ図である。以下、図６を用いて本発明の第１の実施形態にかかる外部端末の認証失敗時の処理について説明する。
【０１１１】
図５に示した流れの内、ステップＳ１７０までは図４Ｃに示した処理と同一であるため、詳細な説明は割愛する。ＰＢデータの受信通知を受けた内線管理部１１４は、外部端末認証処理部１２８に対して外部端末認証要求を通知する（ステップＳ１７１）。認証要求を受けた外部端末認証処理部１２８は、受信したＰＢデータと外部端末認証情報記録部１３０に記録されている認証用データとを比較する（ステップＳ１９１）。そして両者が不一致の場合には、外部端末認証要求応答（失敗）を内線管理部１１４に通知する（ステップＳ１９２）。
【０１１２】
外部端末認証要求応答の通知を受けた内線管理部１１４は、ＬＡＮ制御部１１２に切断要求を通知し（ステップＳ１９３）、ＬＡＮ制御部１１２は無線ＶｏＩＰ端末１０１に対して切断を送出する（ステップＳ１９４）。
【０１１３】
その後、外部端末認証処理部１２８において外部端末認証待ちタイマのタイムアウトを検出する（ステップＳ１９５）と、外部端末認証処理部１２８は内線管理部１１４に対して外部端末認証待ちタイマのタイムアウトを通知する（ステップＳ１９６）。通知を受けた内線管理部１１４は、登録管理部１１６に外部端末登録の削除通知を送信する（ステップＳ１９７）。通知を受けた登録管理部は、外部端末情報記録部１２０に記録されている当該ＶｏＩＰ端末の情報を削除し（ステップＳ１９８）、内線管理部１１４に削除応答を送信する（ステップＳ１９９）。
【０１１４】
このように、無線ＶｏＩＰ端末１０１からの認証処理に失敗した場合には、外部端末認証待ちタイマのタイムアウトによって登録管理部１１６が外部端末情報記録部１２０から当該無線ＶｏＩＰ端末１０１の情報を削除することで、ホームゲートウェイ装置１１０の内部のリソースを有効に活用することができる。
【０１１５】
以上、図６を用いて本発明の第１の実施形態にかかる外部端末の認証失敗時の処理について説明した。次に、ＶｏＩＰ端末からの認証動作が行われなかった場合の処理の流れについて説明する。
【０１１６】
図７は、本発明の第１の実施形態にかかる外部端末の認証失敗時の処理について説明する流れ図である。以下、図７を用いて本発明の第１の実施形態にかかる外部端末の認証失敗時の処理について説明する。
【０１１７】
図７に示した流れの内、ステップＳ１５１〜ステップＳ１５７に関しては図４Ａに示した処理と同一であるため、詳細な説明は割愛する。ステップＳ１５５において外部端末認証待ちタイマを開始した後、無線ＶｏＩＰ端末１０１から所定の時間認証動作が行われなかった場合には、外部端末情報記録部１２０から当該無線ＶｏＩＰ端末１０１の情報が削除される。
【０１１８】
外部端末認証処理部１２８において、外部端末認証待ちタイマのタイムアウトを検出すると（ステップＳ２０１）、外部端末認証処理部１２８は内線管理部１１４に対して外部端末認証待ちタイマのタイムアウトを通知する（ステップＳ２０２）。通知を受けた内線管理部１１４は、登録管理部１１６に外部端末登録の削除通知を送信する（ステップＳ２０２）。通知を受けた登録管理部は、外部端末情報記録部１２０に記録されている当該ＶｏＩＰ端末の情報を削除し（ステップＳ２０３）、内線管理部１１４に削除応答を送信する（ステップＳ２０４）。
【０１１９】
このように、無線ＶｏＩＰ端末１０１から所定の時間認証動作が行われなかった場合には、登録管理部１１６が外部端末情報記録部１２０から当該無線ＶｏＩＰ端末１０１の情報を削除することで、ホームゲートウェイ装置１１０の内部のリソースを有効に活用することができる。
【０１２０】
以上、図７を用いて本発明の第１の実施形態にかかる外部端末の認証失敗時の処理について説明した。次に、外部端末がホームゲートウェイ装置に収容が許可されていない状態で、当該外部端末から発信要求が送られてきた場合の処理の流れについて説明する。
【０１２１】
図８は、本発明の第１の実施形態にかかる外部端末の未許可時の発信処理について説明する流れ図である。以下、図８を用いて本発明の第１の実施形態にかかる外部端末の未許可時の発信処理について説明する。
【０１２２】
外部端末としてホームゲートウェイ装置１１０に収容が許可されていない状態で、無線ＶｏＩＰ端末１０１から発信要求が送られ（ステップＳ２０１）、発信要求を受信したＬＡＮ制御部１１２は、内線管理部１１４に無線ＶｏＩＰ端末１０１からの発信要求を通知する（ステップＳ２０２）。
【０１２３】
通知を受けた内線管理部１１４は、登録管理部１１６に対して発信要求の要求元の確認を要求する（ステップＳ２０３）。登録管理部１１６は、要求元の確認で設定された無線ＶｏＩＰ端末１０１の外線番号と、外線番号データ記録部１１８に記録されている内部番号のデータ及び外部端末情報記録部１２０に記録されている外部番号のデータとを比較する（ステップＳ２０４）。
【０１２４】
比較の結果、無線ＶｏＩＰ端末１０１の外線番号と外部端末情報記録部１２０に記録されている外部番号のデータとが一致していた場合、当該無線ＶｏＩＰ端末１０１は外部端末であるが、まだホームゲートウェイ装置１１０に収容が許可されていないため、登録管理部１１６は内線管理部に対して、要求元が外部端末であり、状態が「未許可」である旨の要求元確認応答を通知する（ステップ２０５）。
【０１２５】
通知を受けた内線管理部１１４は、ＬＡＮ制御部１１２に対して拒絶の発信応答を通知し（ステップＳ２０６）、ＬＡＮ制御部１１２は無線ＶｏＩＰ端末１０１に対して拒絶の発信応答を送出する（ステップＳ２０７）。
【０１２６】
このように、ホームゲートウェイ装置１１０に外部端末として登録されていても、その端末が収容を許可されていない場合には、当該端末からの発信要求を拒絶することができ、ホームゲートウェイ装置１１０が予期しない外部端末からの発信を防ぐことができる。
【０１２７】
以上、図８を用いて本発明の第１の実施形態にかかる外部端末の未許可時の発信処理について説明した。次に、本発明の第１の実施形態にかかる外部端末の未許可時の着信処理について説明する。
【０１２８】
図９は、本発明の第１の実施形態にかかる外部端末の未許可時の着信処理について説明する流れ図である。以下、図９を用いて本発明の第１の実施形態にかかる外部端末の未許可時の着信処理について説明する。
【０１２９】
外部ネットワーク２００からの着信要求をＷＡＮ制御部１２６が受信する（ステップＳ２１１）と、ＷＡＮ制御部１２６は登録管理部１１６に対して着信先の確認を要求する（ステップＳ２１２）。
【０１３０】
要求を受けた登録管理部１１６は、着信先の確認で設定された外線番号と、外線番号データ記録部１１８に記録されている内部番号のデータ及び外部端末情報記録部１２０に記録されている外部番号のデータとを比較する（ステップＳ２１３）。比較の結果、着信先の確認で設定された外線番号と外部端末情報記録部１２０に記録されている外部番号のデータとが一致した場合には、当該端末は外部端末として登録はされているが、状態は「未許可」であるとする。この場合には、ＷＡＮ制御部１２６に対して着信先が存在しない旨の着信先確認応答を行う（ステップＳ２１４）。応答を受けたＷＡＮ制御部１２６は、外部ネットワーク２００に対して拒絶の着信応答を送出する（ステップＳ２１５）。
【０１３１】
このように、ホームゲートウェイ装置１１０に外部端末として登録されていても、その端末が収容を許可されていない場合には、外部ネットワークからの嫡子要求を拒絶することができ、ホームゲートウェイ装置１１０が予期しない外部端末と外部ネットワークとの間の通信を防ぐことができる。
【０１３２】
以上、本発明の第１の実施形態にかかる外部端末の未許可時の着信処理について説明した。
【０１３３】
以上説明したように、本発明の第１の実施形態によれば、無線ＶｏＩＰ端末１０１がホームゲートウェイ装置１１０を経由して外部ネットワーク２００に登録された後、無線ＶｏＩＰ端末１０１とホームゲートウェイ装置１１０との間で認証手順を実施し、ホームゲートウェイ装置１１０が無線ＶｏＩＰ端末１０１を許容するかどうかを判断することにより、ホームゲートウェイ装置１１０が意図しない端末にリソースを使用されることを防ぐことができる。
【０１３４】
これにより、ホームゲートウェイ装置１１０が収容できる内部端末と外部端末とを合わせた端末の台数に制限がある場合において、内部端末がホームネットワークを離れて不在の間に意図しない外部端末がホームゲートウェイ装置１１０のリソースを用いて外部ネットワークに接続しようとしても、ホームゲートウェイ装置１１０は一定時間経過後にそのリソースを強制的に開放するので、内部端末がホームネットワークに復帰したときに、リソース不足によってホームネットワークの内部端末として機能できなくなる問題を解決することができる。
【０１３５】
また、ホームゲートウェイ装置１１０が収容できる外部端末の台数に制限がある場合において、ホームゲートウェイ装置１１０が意図しない外部端末がリソースを用いて外部ネットワークに接続しようとしても、ホームゲートウェイ装置１１０は一定時間経過後にそのリソースを強制的に開放するので、本来意図する外部端末がホームネットワークに復帰したときに、リソース不足によって外部端末として機能できなくなる問題を解決することができる。
【０１３６】
なお、上述した外部端末の認証方法は、有線ＶｏＩＰ端末１０２を外部端末としてホームゲートウェイ装置１１０に収容する場合についても同様に行うことができる。また、上述した外部端末の認証方法は、ホームゲートウェイ装置１１０の内部にコンピュータプログラムを記憶させておき、記憶させたコンピュータプログラムを順次呼び出すことによって行ってもよい。
【０１３７】
（第２の実施形態）
本発明の第１の実施形態では、外部端末が外部ネットワークに登録された後に、ホームゲートウェイ装置において当該外部端末の許容処理を行っていた。本発明の第２の実施形態では、外部端末からの登録要求がホームゲートウェイ装置に送られてきた場合に、登録要求を外部ネットワークに透過せずに当該外部端末の許容処理を行う場合について説明する。
【０１３８】
本発明の第２の実施形態では、本発明の第１の実施形態と同様のホームネットワークシステムを用いるため、各部の詳細な説明は割愛する。次に、本発明の第２の実施形態にかかるゲートウェイ装置を用いた外部端末の登録方法について説明する。
【０１３９】
図１０Ａおよび図１０Ｂは、本発明の第２の実施形態にかかる外部端末登録方法について説明する流れ図である。以下、図１０Ａおよび図１０Ｂを用いて本発明の第２の実施形態にかかる外部端末登録方法について説明する。
【０１４０】
まず、無線ＶｏＩＰ端末１０１からの登録要求をホームゲートウェイ装置１１０が受信すると（ステップＳ１０１）、ホームゲートウェイ装置１１０は登録要求に含まれる番号が内部番号かどうかを判断するため、登録要求を送信した無線ＶｏＩＰ端末１０１の外線番号とホームゲートウェイ装置１１０で保持している内部番号とを比較する（ステップＳ１０２）。
【０１４１】
比較した結果、一致している場合には、登録要求を送信した無線ＶｏＩＰ端末１０１は内部端末であるため、図２に示したステップＳ１０３〜ステップＳ１０５と同じ処理を実施する。ここでは詳細な説明は割愛する。ここでも、上記ステップＳ１０３で、ＶｏＩＰ端末に対して「登録」状態を設定する際には、当該ＶｏＩＰ端末に認証処理を要求してもよく、認証が成功した場合にのみ当該ＶｏＩＰ端末を内部端末としてホームゲートウェイ装置１１０に登録してもよい。
【０１４２】
一方、上記ステップＳ１０２において不一致であった場合には、登録要求を送信した無線ＶｏＩＰ端末１０１は外部端末であるため、ホームゲートウェイ装置１１０は、無線ＶｏＩＰ端末１０１の内線番号を外部番号として保持しておき、さらに無線ＶｏＩＰ端末１０１からの登録要求を保持するとともに、登録要求を送信した無線ＶｏＩＰ端末１０１の状態を「仮登録」状態に設定しておく（ステップＳ２０１）。
【０１４３】
ホームゲートウェイ装置１１０は、無線ＶｏＩＰ端末１０１を「仮登録」状態に設定すると、外部端末認証待ちタイマを起動する（ステップＳ２０２）。外部端末認証待ちタイマとは、第１の実施形態と同様に、タイムアウト前に当該ＶｏＩＰ端末から認証要求を受信しなかった場合に、タイムアウト時点で当該ＶｏＩＰ端末の登録を無効とする（未登録状態にする）ためのタイマである。
【０１４４】
そして、ホームゲートウェイ装置１１０は、外部端末認証待ちタイマを起動すると、登録要求を送信した無線ＶｏＩＰ端末１０１に対して登録が成功した旨の登録応答を送出する（ステップＳ２０３）。
【０１４５】
次に、登録応答を受けた無線ＶｏＩＰ端末１０１からの発信要求をホームゲートウェイ装置１１０が受信すると（ステップＳ１１３）、ホームゲートウェイ装置１１０は発信要求を送信したのが外部端末かどうかを判断するために、発信要求に設定された番号が、ホームゲートウェイ装置１１０が保持する外部番号であるかどうかを判断する（ステップＳ１１４）。
【０１４６】
上記ステップＳ１１４での判断の結果、発信要求を送信したのが外部端末であれば、ホームゲートウェイ装置１１０は当該外部端末のホームゲートウェイ装置１１０における登録状態を確認する（ステップＳ２０４）。確認の結果、外部端末が「登録」状態にある場合には、ホームゲートウェイ装置１１０は無線ＶｏＩＰ端末１０１からの発信要求をそのまま外部ネットワークに透過する（ステップＳ２１１）。
【０１４７】
一方、ステップＳ２０４での確認の結果、無線ＶｏＩＰ端末１０１の外部端末としての状態が「仮登録」状態にある場合には、まだホームゲートウェイ装置１１０において当該発信要求を送信した無線ＶｏＩＰ端末１０１を許容していないため、ホームゲートウェイ装置１１０は外部端末認証処理を実施する（ステップＳ２０５）。ホームゲートウェイ装置１１０が行う外部端末認証処理の詳細については後述する。
【０１４８】
上記ステップＳ２０５における外部端末認証処理の結果、認証が成功したかどうかを判断する（ステップＳ２０６）。ステップＳ２０６において、認証が成功したと判断した場合には、無線ＶｏＩＰ端末１０１から送信され、ホームゲートウェイ装置１１０で保持しておいた登録要求を外部ネットワークに透過する（ステップＳ２０７）。この登録要求は外部ネットワーク２００で処理される。外部ネットワーク２００からの登録応答をホームゲートウェイ装置１１０で受信すると（ステップＳ２０８）、ホームゲートウェイ装置１１０は登録応答が成功応答かどうか確認する（ステップＳ２０９）。
【０１４９】
上記ステップＳ２０９で、外部ネットワーク２００からの登録応答が成功応答である場合には、無線ＶｏＩＰ端末１０１の外部端末としての状態を「登録」状態に設定し（ステップＳ２１０）、外部ネットワーク２００に対し、無線ＶｏＩＰ端末１０１からの発信要求を透過する（ステップＳ２１１）。
【０１５０】
一方、上記ステップＳ２０６で認証が失敗したと判断した場合および上記ステップＳ２０９で外部ネットワーク２００からの登録応答が成功応答で無かった場合には、ホームゲートウェイ装置１１０は一旦保持した無線ＶｏＩＰ端末１０１の外部端末情報を削除し（ステップＳ２１２）、発信要求を送信した無線ＶｏＩＰ端末１０１に対して切断を送出する（ステップＳ２１３）。
【０１５１】
なお、上記ステップＳ１１４での判断の結果、発信要求を送信したのが内部端末であれば、ホームゲートウェイ装置１１０は内線発信処理を行う（ステップＳ１２３）。
【０１５２】
以上、図１０Ａおよび図１０Ｂを用いて本発明の第２の実施形態にかかる外部端末登録方法について説明した、次に、本発明の第２の実施形態にかかる外部端末認証処理について説明する。
【０１５３】
図１１は、本発明の第２の実施形態にかかる外部端末認証処理について説明する流れ図であり、図１１は、図１０Ｂの外部端末認証処理（ステップＳ２０５）を詳細に説明するものである。以下、図１１を用いて本発明の第２の実施形態にかかる外部端末認証処理について説明する。
【０１５４】
最初に、無線ＶｏＩＰ端末１０１からの発信要求を受けたホームゲートウェイ装置１１０は、無線ＶｏＩＰ端末１０１に対して発信応答を送出する（ステップＳ２２１）。この応答では最終応答は行わない。この応答は、例えばＲＦＣ３２６１におけるＥａｒｌｙダイアログを形成する暫定応答であり、無線ＶｏＩＰ端末１０１とホームゲートウェイ装置１１０との間に、通話を開始する前の音声パスを接続するものである。
【０１５５】
続いて、ホームゲートウェイ装置１１０は無線ＶｏＩＰ端末１０１に対して特定のトーンを送出して認証用のデータ入力を促す（ステップＳ２２２）。認証用のデータの入力を促された無線ＶｏＩＰ端末１０１は認証用のＰＢデータを入力する（ステップＳ２２３）。
【０１５６】
無線ＶｏＩＰ端末１０１から認証用のＰＢデータを受信したホームゲートウェイ装置１１０は、無線ＶｏＩＰ端末１０１から入力されたＰＢデータと、ホームゲートウェイ装置１１０が保持している認証用データとの比較を行う（ステップＳ２２４）。比較の結果、両者が一致していた場合にはステップＳ２０２で開始した外部端末認証待ちタイマを停止する（ステップＳ２２５）。一方、両者が一致していない場合にはそのまま認証処理を終了する。
【０１５７】
このように、外部端末認証待ちタイマを停止させずに認証処理を終了することで、外部端末認証待ちタイマがタイムアウトになったときに、タイムアウト時点で当該ＶｏＩＰ端末の登録を無効にして、ホームゲートウェイ装置１１０から当該ＶｏＩＰ端末の外部端末としての登録情報を削除して、ホームゲートウェイ装置１１０のリソースを開放することができる。
【０１５８】
以上、図１１を用いて本発明の第１の実施形態にかかる外部端末認証処理について説明した。
【０１５９】
このように、外部端末からの発信要求をホームゲートウェイ装置１１０で受信して、当該外部端末がまだ仮登録の状態であった場合には、外部端末の認証処理を行うことで、予期しない外部端末の収容を防止することができ、内部端末及び予期している外部端末のみをホームゲートウェイ装置に収容することができる。また、このように予期しない外部端末の収容を防止することで、ホームゲートウェイ装置のリソースを有効に活用することが可能となる。
【０１６０】
次に、本発明の第２の実施形態にかかる、ホームゲートウェイ装置１１０での外部端末の許容前の当該外部端末への外線着信処理について説明する。
【０１６１】
図１２は、本発明の第２の実施形態にかかる、ホームゲートウェイ装置１１０での外部端末の許容前の当該外部端末への外線着信処理について説明する流れ図である。以下、図１２を用いて本発明の第２の実施形態にかかる、ホームゲートウェイ装置１１０での外部端末の許容前の当該外部端末への外線着信処理について説明する。
【０１６２】
まず、ホームゲートウェイ装置１１０とは別のホームゲートウェイ装置２１０から、無線ＶｏＩＰ端末１０１に対して外線を発信する。外線の発信要求は外部ネットワーク２００が受信する（ステップＳ２３１）。このとき、無線ＶｏＩＰ端末１０１はホームゲートウェイ装置１１０に許容される前であり、ホームゲートウェイ装置１１０での外部端末としての状態は仮登録の状態か、仮登録すら行われていない状態であるとする。
【０１６３】
すると、外部ネットワーク２００上において無線ＶｏＩＰ端末１０１の登録状態の検査を行い（ステップＳ２３２）、無線ＶｏＩＰ端末１０１は外部ネットワーク２００にも登録されていない状態であるため、外部ネットワーク２００はホームゲートウェイ装置２１０に対して拒絶の着信応答を送出する（ステップＳ２３３）。
【０１６４】
以上、本発明の第２の実施形態にかかる、ホームゲートウェイ装置１１０での外部端末の許容前の当該外部端末への外線着信処理について説明した。
【０１６５】
以上説明したように、本発明の第２の実施形態によれば、外部端末からの登録要求がホームゲートウェイ装置１１０に送られてきた場合に、登録要求を外部ネットワークに透過せずに、一旦ホームゲートウェイ装置１１０で当該外部端末の許容処理を行う。これにより、ホームゲートウェイ装置１１０が意図しない端末にリソースを使用されることを防ぐことができると共に、外部ネットワークが未登録の外部端末への発信要求を拒絶することで余計なシーケンスを行わずに済み、外部ネットワークの負荷を軽減することが可能となる。
【０１６６】
また、本発明の第１の実施形態では、ユーザが外部端末をホームゲートウェイ装置で許容するためだけの通話を行う必要があったが、本発明の第２の実施形態では、通常の発信操作で外部端末の認証処理を行うため、通常の発信操作だけで本発明の第１の実施形態と同様の効果が得られ、さらに外部ネットワークへの発信を継続して実施できるためにユーザ操作の煩雑さを軽減することができる。
【０１６７】
なお、本発明の第２の実施形態におけるホームゲートウェイ装置１１０での外部端末の認証処理を、本発明の第１の実施形態における外部端末認証処理（自番号への発信処理）で行ってもよい。
【０１６８】
また、上述した外部端末の認証方法は、ホームゲートウェイ装置１１０の内部にコンピュータプログラムを記憶させておき、記憶させたコンピュータプログラムを順次呼び出すことによって行ってもよい。
【０１６９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１７０】
【図１】本発明の第１の実施形態にかかるゲートウェイ装置を用いたホームネットワークについて説明する説明図である。
【図２Ａ】本発明の第１の実施形態にかかる外部端末登録方法について説明する流れ図である。
【図２Ｂ】本発明の第１の実施形態にかかる外部端末登録方法について説明する流れ図である。
【図３】本発明の第１の実施形態にかかる外部端末認証処理について説明する流れ図である。
【図４Ａ】本発明の第１の実施形態にかかる外部端末の登録処理について説明する流れ図である。
【図４Ｂ】本発明の第１の実施形態にかかる外部端末の登録処理について説明する流れ図である。
【図４Ｃ】本発明の第１の実施形態にかかる外部端末の登録処理について説明する流れ図である。
【図５】本発明の第１の実施形態にかかる外部端末の認証失敗時の処理について説明する流れ図である。
【図６】本発明の第１の実施形態にかかる外部端末の認証失敗時の処理について説明する流れ図である。
【図７】本発明の第１の実施形態にかかる外部端末の認証失敗時の処理について説明する流れ図である。
【図８】本発明の第１の実施形態にかかる外部端末の未許可時の発信処理について説明する流れ図である。
【図９】本発明の第１の実施形態にかかる外部端末の未許可時の着信処理について説明する流れ図である。
【図１０Ａ】本発明の第２の実施形態にかかる外部端末登録方法について説明する流れ図である。
【図１０Ｂ】本発明の第２の実施形態にかかる外部端末登録方法について説明する流れ図である。
【図１１】本発明の第２の実施形態にかかる外部端末認証処理について説明する流れ図である。
【図１２】本発明の第２の実施形態にかかる外部端末の許容前の当該外部端末への外線着信処理について説明する流れ図である。
【図１３】従来のゲートウェイ装置を用いたホームネットワークシステムについて説明する説明図である。
【図１４】従来の外部端末登録方法について説明する流れ図である。
【図１５】従来の外部端末の登録処理について説明する流れ図である。
【図１６】従来の外部端末からの発信方法について説明する流れ図である。
【図１７】従来の外部端末への着信方法について説明する流れ図である。
【図１８】従来の外部端末からの発信方法について説明する流れ図である。
【図１９】従来の外部端末への着信方法について説明する流れ図である。
【符号の説明】
【０１７１】
１００    ホームネットワーク
１０１    無線ＶｏＩＰ端末
１０２    有線ＶｏＩＰ端末
１１０    ホームゲートウェイ装置
１１２    ＬＡＮ制御部
１１４    内線管理部
１１６    登録管理部
１１８    外線番号データ記録部
１２０    外部端末情報記録部
１２２    音声処理部
１２４    トーンデータ保持部
１２６    ＷＡＮ制御部
１２８    外部端末認証処理部
１３０    外部端末認証情報記録部
２００    外部ネットワーク
【図１】
2008301084.tif 000003
【図２Ａ】
2008301084.tif 000004
【図２Ｂ】
2008301084.tif 000005
【図３】
2008301084.tif 000006
【図４Ａ】
2008301084.tif 000007
【図４Ｂ】
2008301084.tif 000008
【図４Ｃ】
2008301084.tif 000009
【図５】
2008301084.tif 000010
【図６】
2008301084.tif 000011
【図７】
2008301084.tif 000012
【図８】
2008301084.tif 000013
【図９】
2008301084.tif 000014
【図１０Ａ】
2008301084.tif 000015
【図１０Ｂ】
2008301084.tif 000016
【図１１】
2008301084.tif 000017
【図１２】
2008301084.tif 000018
【図１３】
2008301084.tif 000019
【図１４】
2008301084.tif 000020
【図１５】
2008301084.tif 000021
【図１６】
2008301084.tif 000022
【図１７】
2008301084.tif 000023
【図１８】
2008301084.tif 000024
【図１９】
2008301084.tif 000025